(57)【要約】【課題】海水馴致過程を終えたサケやマスの水中養殖のために、蓄養槽が水中にあるときも浮袋に空気を取り込むための魚の水面活動を誘導できるサケ類の水中養殖装置を提供する。【解決手段】本発明によるサケ類の水中養殖装置１００は、水中で浮力を有するように形成された上部リム１１０と、上部リム１１０の下方に配置される下部リム１２０と、上部リム１１０と下部リム１２０とに固定されて立体空間を有するように形成された網１４０と、網１４０の上面１４１の下部に設けられ、魚が浮袋に空気を取り込むための水面活動を行えるように、空気が溜まるように形成された空気貯蔵部１５０と、網１４０の上面１４１に設けられ、潮流や風浪に対して空気貯蔵部１５０の形状や位置を維持できるように空気貯蔵部１５０を支持する中間フレーム１７０とを含むようにしてもよい。【選択図】図１
2017148035.tif 000002
【特許請求の範囲】
【請求項１】
水中で浮力を有するように形成された上部リムと、
前記上部リムの下方に配置される下部リムと、
前記上部リムと前記下部リムとに固定されて立体空間を有するように形成された網と、
前記網の上面の下部に設けられ、魚が浮袋に空気を取り込むための水面活動を行えるように、空気が溜まるように形成された空気貯蔵部と、
前記網の上面に設けられ、潮流や風浪に対して前記空気貯蔵部の形状や位置を維持できるように前記空気貯蔵部を支持する中間フレームとを含む、サケ類の水中養殖装置。
【請求項２】
前記中間フレームは、正多角形又は円形に形成される、請求項１に記載のサケ類の水中養殖装置。
【請求項３】
前記空気貯蔵部は、平面から見たときに前記中間フレームの内側領域に配置される、請求項２に記載のサケ類の水中養殖装置。
【請求項４】
前記空気貯蔵部は、ドーム状に形成される、請求項１に記載のサケ類の水中養殖装置。
【請求項５】
前記中間フレームは、浮力を有するように密封されたパイプで形成される、請求項１に記載のサケ類の水中養殖装置。
【請求項６】
前記空気貯蔵部は、その縁部が前記中間フレームにロープで縛られて固定された形態である、請求項５に記載のサケ類の水中養殖装置。
【請求項７】
前記空気貯蔵部は、
ドーム状に形成された柔軟な材質のシート部材と、
前記シート部材の下端形状を限定するように形成された枠部材と、
前記シート部材を前記枠部材に固定する複数の固定具とを含む、請求項１に記載のサケ類の水中養殖装置。
【請求項８】
前記シート部材は、１つの平面材料の縁部が部分的に重なった状態で接合されてドームを形成するようにした形態である、請求項７に記載のサケ類の水中養殖装置。
【請求項９】
前記シート部材は、分割された複数の平面材料が接合されてドームを形成するようにした形態である、請求項７に記載のサケ類の水中養殖装置。
【請求項１０】
前記シート部材は、防水コーティングされた織物又は樹脂で形成される、請求項７に記載のサケ類の水中養殖装置。
【請求項１１】
前記空気貯蔵部の下方に配置され、飼料と共に前記飼料を圧送するために供給される空気が排出されて前記空気貯蔵部に上昇するように形成された飼料及び空気排出ノズルをさらに含む、請求項１に記載のサケ類の水中養殖装置。
【請求項１２】
前記上部リムは、空気又は水を選択的に流入又は流出させて浮力を調整するためのバルブを含む、請求項１に記載のサケ類の水中養殖装置。
【請求項１３】
水中に設置可能に形成された蓄養槽本体と、
前記蓄養槽本体の内部に位置調整可能に設けられ、魚が浮袋に空気を取り込むための水面活動を行えるように、空気が溜まるように形成された空気貯蔵部とを含む、サケ類の水中養殖装置。
【請求項１４】
前記空気貯蔵部が前記蓄養槽本体の内部空間の所定の位置に配置されるように前記空気貯蔵部と前記蓄養槽本体とを連結する連結ロープをさらに含む、請求項１３に記載のサケ類の水中養殖装置。
【請求項１５】
前記空気貯蔵部は、前記蓄養槽本体の内部において異なる深さに複数設けられる、請求項１３に記載のサケ類の水中養殖装置。
【請求項１６】
前記連結ロープの長さを調整できるように形成された長さ調整部をさらに含む、請求項１４に記載のサケ類の水中養殖装置。
【発明の詳細な説明】
【技術分野】
【０００１】
本発明は、サケやマスを含むサケ類の水中養殖装置に関する。
【背景技術】
【０００２】
サケ（salmon）やマス（trout）の養殖とは、これらを統制できる環境下で生育させて収穫することをいう。養殖サケは商業的な漁労により捕獲された天然のサケと区分される。養殖と区分される方法として、人工的に孵化させた稚魚を放流して自然状態で成長させる方法もある。しかし、この方法においても、品種や回遊ルートにある程度関与するので、純粋な天然とは言えない面がある。
【０００３】
サケ類に属するサケやマスは、生物学的に、淡水（freshwater）で孵化して稚魚になり、スモルト（smolt）期になると、汽水（brackish water）で次第に塩分濃度を高める海水馴致（seawater domestication）過程を経て、海水で本格的に成長する。冷水性魚種であるサケやマスを養殖するためには、成長段階に合わせて、陸上水槽では淡水を、陸上又は海の空間に設けられた馴致場では汽水を、そして海の蓄養槽では海水を供給しなければならない。しかし、自然災害や環境汚染などにより海洋環境がよくない国では蓄養槽養殖ができない場合もある。この場合、陸上水槽で淡水、汽水、海水を段階別に供給して成魚に成長させることもある。しかし、この方法は、様々な問題にさらされるのでよく用いられてはいない。
【０００４】
水中養殖は、水面下に蓄養槽施設を配置する養殖法である。水中養殖においては、水面下に蓄養槽が配置されるので潮流や風浪により構造的な安定性が低下することを補完することができ、外海でも可能であるので汚染などの沿岸の環境による影響を低減することができ、深さを調整することができるので養殖魚種に応じて適切な水温にすることができるという利点がある。
【０００５】
水面（空気と水の境界面）のない蓄養槽内では自分で浮袋（鰾）に空気を取り込むことができないサケ類を水中養殖で養殖する場合、サケ類の水面活動（air gulfing behavior）が制限されるので問題となる。硬骨魚類（osteichthyes）は浮袋と消化管がつながっていない無管鰾（physoclistous air bladder）と浮袋と消化管がつながっている有管鰾（physostomous air bladder）に分けられるが、サケやマスはこの中で有管鰾に属する。有管鰾は、無管鰾とは異なって呼吸が円滑でないので、浮袋に問題が生じると消化機関にも影響が与えられて正常に成長することができず、浮袋と消化機関が損傷して脊椎奇形、内臓損傷、斃死などにつながることがある。
【発明の概要】
【発明が解決しようとする課題】
【０００６】
本発明は、このような点に鑑みてなされたものであり、本発明の目的は、海水馴致過程を終えたサケやマスの水中養殖のために、蓄養槽が水中にあるときも浮袋に空気を取り込むための魚の水面活動を誘導できるサケ類の水中養殖装置を提供することにある。
【０００７】
本発明の他の目的は、空気貯蔵部を水中養殖装置の上部に設けながらも、構造的な安定性を確保できるようにすることにある。
【０００８】
本発明のさらに他の目的は、魚の水面活動のための空気ドームを蓄養槽内の様々な位置に設けることにより、養殖魚の大きさや種類などによって水面での空気吸入を独立して行えるようにすることにある。
【０００９】
本発明のさらに他の目的は、給餌時、蓄養槽に飼料と共に供給する空気が自然に空気ドームに捕集されるようにすることにより、空気ドームに空気を充填するための作業やコストを最小限に抑えることにある。
【課題を解決するための手段】
【００１０】
上記課題を解決するために、本発明によるサケ類の水中養殖装置は、水中で浮力を有するように形成された上部リム（rim）と、前記上部リムの下方に配置される下部リムと、前記上部リムと前記下部リムとに固定されて立体空間を有するように形成された網と、前記網の上面の下部に設けられ、魚が浮袋に空気を取り込むための水面活動を行えるように、空気が溜まるように形成された空気貯蔵部と、前記網の上面に設けられ、潮流や風浪に対して前記空気貯蔵部の形状や位置を維持できるように前記空気貯蔵部を支持する中間フレームとを含むようにしてもよい。
【００１１】
本発明の一態様において、前記中間フレームは、正多角形（regular polygon）又は円形（circle）に形成されてもよい。
【００１２】
本発明の一態様において、前記空気貯蔵部は、平面から見たときに前記中間フレームの内側領域（inside）に配置されるように構成されてもよい。
【００１３】
本発明の一態様において、前記空気貯蔵部は、ドーム（dome）状に形成されてもよい。
【００１４】
本発明の一態様において、前記中間フレームは、浮力を有するように密封されたパイプで形成されてもよい。
【００１５】
本発明の一態様において、前記空気貯蔵部は、その縁部が前記中間フレームにロープで縛られて固定された形態であってもよい。
【００１６】
本発明の一態様において、前記空気貯蔵部は、ドーム状に形成された柔軟な材質のシート部材と、前記シート部材の下端形状を限定するように形成された枠部材と、前記シート部材を前記枠部材に固定する複数の固定具とを含んでもよい。
【００１７】
本発明の一態様において、前記シート部材は、１つの平面材料の縁部が部分的に重なった状態で接合されてドームを形成するようにした形態であってもよい。
【００１８】
本発明の一態様において、前記シート部材は、分割された複数の平面材料が接合されてドームを形成するようにした形態であってもよい。
【００１９】
本発明の一態様において、前記シート部材は、防水コーティングされた織物又は樹脂で形成されてもよい。
【００２０】
本発明の一態様において、前記サケ類の水中養殖装置は、前記空気貯蔵部の下方に配置され、飼料と共に前記飼料を圧送するために供給される空気が排出されて前記空気貯蔵部に上昇するように形成された飼料及び空気排出ノズルをさらに含んでもよい。
【００２１】
本発明の一態様において、前記上部リムは、空気又は水を選択的に流入又は流出させて浮力を調整するためのバルブを含んでもよい。
【００２２】
そして、本発明によるサケ類の水中養殖装置は、水中に設置可能に形成された蓄養槽本体と、前記蓄養槽本体の内部に位置調整可能に設けられ、魚が浮袋に空気を取り込むための水面活動を行えるように、空気が溜まるように形成された空気貯蔵部とを含むようにしてもよい。
【００２３】
本発明の一態様において、前記サケ類の水中養殖装置は、前記空気貯蔵部が前記蓄養槽本体の内部空間の所定の位置に配置されるように前記空気貯蔵部と前記蓄養槽本体とを連結する連結ロープをさらに含んでもよい。
【００２４】
本発明の一態様において、前記空気貯蔵部は、前記蓄養槽本体の内部において異なる深さに複数設けられてもよい。
【００２５】
本発明の一態様において、前記サケ類の水中養殖装置は、前記連結ロープの長さを調整できるように形成された長さ調整部をさらに含んでもよい。
【発明の効果】
【００２６】
本発明によるサケ類の水中養殖装置によれば、空気貯蔵部を蓄養槽本体の上面の下部に設けるか又は蓄養槽本体の内部に位置調整可能に設けることにより、蓄養槽が水中にあるときも浮袋に空気を取り込むための魚の水面活動を誘導することができ、魚が水面活動を正常に行えないことに起因する生育不良や病害を最小限に抑えて養殖魚の品質を改善することができる。
【００２７】
本発明の一態様によれば、網の上面に中間フレームを設けることにより、潮流や風浪に対して前記空気貯蔵部の形状や位置を維持させ、構造的な安定性を確保することができる。
【００２８】
本発明の他の態様によれば、蓄養槽本体の内部に複数の空気貯蔵部を設けることにより、成魚と稚魚が水面での空気吸入を独立して行えるようにすることができる。
【００２９】
本発明のさらに他の態様によれば、空気ドームの下方に飼料及び空気排出ノズルを配置することにより、給餌時、蓄養槽に飼料と共に供給する空気を自然に空気ドームに捕集されるようにすることができる。従って、空気ドームに空気を充填するための作業やコストを最小限に抑えることができる。
【図面の簡単な説明】
【００３０】
【図１】本発明の第１実施形態によるサケ類の水中養殖装置の概略斜視図である。
【図２】水中に設置された図１のサケ類の水中養殖装置の一例を示す側面図である。
【図３】図１の空気貯蔵部を示す概略斜視図である。
【図４】本発明の第１実施形態によるサケ類の水中養殖装置により魚が空気貯蔵部の水面に移動して空気を吸い込む行動を説明するための概念図である。
【図５】本発明に関連して中間フレームがある場合（ａ）とない場合（ｂ）とにおける潮流や風浪による影響を説明するための概念図である。
【図６】本発明の第１実施形態によるサケ類の水中養殖装置を製造する過程の一部を説明するための平面図である。
【図７】本発明の第２実施形態によるサケ類の水中養殖装置の空気貯蔵部を示す斜視図である。
【図８】本発明の第３実施形態によるサケ類の水中養殖装置の概略側面図である。
【図９】本発明の第４実施形態によるサケ類の水中養殖装置の概略側面図である。
【図１０】本発明の第５実施形態によるサケ類の水中養殖装置の概略側面図である。
【発明を実施するための形態】
【００３１】
以下、添付図面を参照して本発明によるサケ類の水中養殖装置について詳細に説明する。
【００３２】
図１は本発明の第１実施形態によるサケ類の水中養殖装置の概略斜視図であり、図２は水中に設置された図１のサケ類の水中養殖装置の一例を示す側面図であり、図３は図１の空気貯蔵部を示す概略斜視図であり、図４は本発明の第１実施形態によるサケ類の水中養殖装置により魚が空気貯蔵部の水面に移動して空気を吸い込む行動を説明するための概念図である。
【００３３】
同図に示すように、本発明の第１実施形態によるサケ類の水中養殖装置１００は、水中に設置可能に形成された蓄養槽本体１０１と、蓄養槽本体１０１の内部に設けられた空気貯蔵部１５０とを有する形態となっている。
【００３４】
蓄養槽本体１０１は、上部リム１１０、下部リム１２０、錘１３０、網１４０などを有する形態となっている。上部リム１１０は、蓄養槽本体１０１に浮力を与えるように内部に空気を充填することのできるチューブ状に形成されてもよい。製造面において、上部リム１１０は、耐衝撃性を有する樹脂パイプを連結して形成してもよい。上部リム１１０は、空気又は水を選択的に流入又は流出させて浮力を調整するためのバルブ（詳細には図示せず）を有するようにしてもよい。それに加え、上部リム１１０は、蓄養槽本体１０１の浮力のために上部リム１１０に取り付けられる浮力体を別途有するようにしてもよい。
【００３５】
下部リム１２０は、上部リム１１０の下方に設けられ、網１４０が上部リム１１０から所定の深さで広がるように、上部リム１１０より重いものであってもよい。下部リム１２０は、金属パイプを連結して組み立てられる形態であってもよい。
【００３６】
錘１３０は、蓄養槽本体１０１を水中に沈めるための重量を提供する。錘１３０は、蓄養槽本体１０１が水面に移動すると、蓄養槽本体１０１と共に上方に移動する。蓄養槽本体１０１は、水中で潮流などにより流されないように、係留ラインにより拘束されるように設けられてもよい。
【００３７】
網１４０は、上部リム１１０と下部リム１２０とにより立体空間を形成するものであり、上部リム１１０又は下部リム１２０の形状に応じて様々な展開形状を有する。網１４０の上面１４１の下部には、本発明の第１実施形態による空気貯蔵部１５０が設けられる。空気貯蔵部１５０は、蓄養槽本体１０１の内部に空気が溜まるように形成される。空気貯蔵部１５０により、魚が浮袋に空気を取り込むための水面活動を行えるようになる（図４参照）。
【００３８】
空気貯蔵部１５０は、空気が充填される空気ドーム１６０を備えてもよい。空気ドーム１６０は、ドーム状に形成された柔軟な材質のシート部材１６１と、シート部材１６１の下端形状を限定するように形成された枠部材１６５と、シート部材１６１を枠部材１６５に固定する複数の固定具１６７とを備えてもよい。図２に示すように、シート部材１６１は、１つの平面材料の縁部が部分的に重なった状態で接合されてドームを形成するようにした形態であってもよい。図３の拡大図は前記平面材料の縁部が部分的に重なって重畳部１６２が生じることを示す。シート部材１６１は、防水コーティングされた織物又は樹脂で形成されてもよい。重畳部１６２は、シート部材１６１を裁縫して形成してもよく、空気の漏れを防止できるようにシリコンなどをコーティングして形成してもよい。
【００３９】
枠部材１６５は、ステンレススチールや樹脂などの材質を有するパイプで作製されてもよい。固定具１６７は、枠部材１６５に挿入されるリング状に形成されてもよい。予め作製されたシート部材１６１を枠部材１６５に設置するために、枠部材１６５をその一部が開放された状態にしておき、リング状の固定具１６７を挿入し、その後枠部材１６５の開放された部分を溶接などで接合することにより組み立てる。
【００４０】
網１４０の上面１４１には、潮流や風浪に対して空気貯蔵部１５０の形状や位置を維持できるように空気貯蔵部１５０を支持する中間フレーム１７０が備えられる。このような中間フレーム１７０は、正多角形又は円形に形成されてもよい。空気貯蔵部１５０は、平面から見たときに中間フレーム１７０の内側領域に配置される。中間フレーム１７０は、浮力を有するように密封されたパイプで形成されてもよい。その結果、中間フレーム１７０は、経時により発生する網１４０の上面１４１のたるみを効果的に防止する。
【００４１】
空気貯蔵部１５０は、その縁部が中間フレーム１７０にロープで縛られて固定された形態である。空気貯蔵部１５０の上部にも中間フレーム１７０の内側領域を覆っている網１４０の上面１４１が存在し、それにより、空気貯蔵部１５０に貯蔵された空気により浮力が発生すると、網１４０の上面１４１も共に持ち上げられて水面方向に向かって膨らむ。
【００４２】
蓄養槽本体１０１に設けられた空気貯蔵部１５０には空気Ａを注入する。ここで、空気Ａの注入のためには、酸素ボンベを別途用いることができるが、ダイバーが直接酸素ボンベを空気貯蔵部１５０に移動させて注入するようにしてもよく、水面上の酸素ボンベから空気貯蔵部１５０に連結されたホースを介して注入するようにしてもよい。
【００４３】
空気貯蔵部１５０内の空気の量などはセンサやカメラなどで検知するように構成してもよい。また、空気貯蔵部１５０は、検知装置と、酸素ボンベのバルブを開閉できるバルブ開閉装置とを備えることにより、設定条件に応じて自動的に空気Ａが充填されるように構成してもよい。
【００４４】
図４に示すように、蓄養槽本体１０１の上部に空気貯蔵部１５０が設けられた場合、空気貯蔵部１５０に空気Ａを充填すると、空気ドーム１６０の下部には空気と水の境界面が生じる。よって、サケやマスＳなどは空気と水の境界面に泳いできて空気を吸い込んでから再び水中に入る行動を見せる。従って、蓄養槽本体１０１が長期間水中にあっても、蓄養槽本体１０１の内部のサケやマスＳなどはそれらの浮袋や消化機関が損傷することなく健康に育つ。
【００４５】
図５は本発明に関連して中間フレームがある場合（ａ）とない場合（ｂ）とにおける潮流や風浪による影響を説明するための概念図である。
【００４６】
中間フレーム１７０は、本発明に関連して空気貯蔵部１５０を固定する機能に加え、潮流や風浪に対して空気貯蔵部１５０の形態や位置を安全に維持する機能を果たす。すなわち、図５の（ｂ）に示すように、中間フレーム１７０がない場合、水平方向の潮流や風浪が作用すると、網１４０の上面１４１及び空気ドーム１６０は波打つように変形して正常なドームの形態を失ってしまう。それにより、内部の空気Ａが漏れ出る。潮流や風浪が続くと、内部の空気Ａが全て漏れてしまい、ついに空気貯蔵部１５０の機能を喪失することになる。それに対して、図５の（ａ）に示すように、中間フレーム１７０がある場合、空気貯蔵部１５０は、網１４０の上面１４１の全体面ではなく中間フレーム１７０の内側領域に固定されるので、中間フレーム１７０の剛性（rigid）により保護される。すなわち、空気貯蔵部１５０の縁部が中間フレーム１７０に固定されるので、網１４０の上面１４１が変形しても、空気貯蔵部１５０は、中間フレーム１７０と共に移動するだけであり、変形したり中間フレーム１７０に対する相対位置が変更されることがない。
【００４７】
図６は本発明の第１実施形態によるサケ類の水中養殖装置を製造する過程の一部を説明するための平面図である。
【００４８】
本発明の第１実施形態による空気貯蔵部１５０を設置するためには、まず、（ａ）のように、上部リム１１０に網の上面１４１を設置する。次に、（ｂ）のように、中間フレーム１７０を設置する領域Ｃに対応する網の上面１４１の一部分を切り抜いて切抜部を形成する。次に、（ｃ）のように、前記切抜部に予め作製された中間フレーム１７０を固定する。このとき、中間フレーム１７０と周面の網の上面１４１の部分との間に間隙が生じないようにする。次に、（ｄ）のように、中間フレーム１７０の内側領域を、切り抜いた網の片１４１'を用いて覆う。次に、網の上面１４１の下部側に空気ドーム１６０を固定する。
【００４９】
図７は本発明の第２実施形態によるサケ類の水中養殖装置の空気貯蔵部を示す斜視図である。
【００５０】
本実施形態においては、図３の第１実施形態とは異なり、シート部材２６１が、まるで傘のように、分割された複数の平面材料が接合されてドームを形成するようにした形態を有する。
【００５１】
図８は本発明の第３実施形態によるサケ類の水中養殖装置の概略側面図である。
【００５２】
本実施形態においては、水面上の給餌船Ｖを用いてサケ類の水中養殖装置３００に飼料を供給することを説明する。空気貯蔵部３５０の下方には、飼料Ｆを圧送するために供給される圧縮ガスが排出されて空気貯蔵部３５０に上昇するように形成された飼料及び空気排出ノズル３９０が設けられてもよい。こうすることにより、給餌時、蓄養槽に飼料と共に供給する空気Ｇが自然に空気貯蔵部３５０に捕集され、空気貯蔵部３５０に空気を充填するための作業やコストを最小限に抑えることができる。空気貯蔵部３５０に空気を充填するための時間を短縮できるように、空気貯蔵部３５０に連結された酸素ボンベを別途備えてもよい。
【００５３】
図９は本発明の第４実施形態によるサケ類の水中養殖装置の概略側面図である。
【００５４】
本実施形態において、空気貯蔵部４５０は、蓄養槽本体４０１の内部に空気が溜まるように形成される。空気貯蔵部４５０により、魚が浮袋に空気を取り込むための水面活動を行えるようになる。
【００５５】
図９に示すように、本発明の第４実施形態によるサケ類の水中養殖装置４００は、空気貯蔵部４５０が蓄養槽本体４０１の内部空間の所定の位置に配置されるように空気貯蔵部４５０と蓄養槽本体４０１とを連結する連結ロープ４７０を含んでもよい。サケ類の水中養殖装置４００は、連結ロープ４７０の長さを調整できるように連結ロープ４７０の端部に形成された長さ調整部４８０をさらに含んでもよい。長さ調整部４８０は、複数の連結ロープ４７０を一度に巻いたり解いたりできるように構成されたホイール及びラチェットストッパを備えてもよい。こうすることにより、空気貯蔵部４５０は、蓄養槽本体４０１の内部で位置を調整できるようになる。下部リム４２０からの空気ドーム４６０の高さＨは連結ロープ４７０の長さに応じて異なり、長さ調整部４８０などを用いて連結ロープ４７０の長さを変化させることにより空気ドーム４６０の高さＨを調整することができる。
【００５６】
図１０は本発明の第５実施形態によるサケ類の水中養殖装置の概略側面図である。
【００５７】
本実施形態においては、蓄養槽本体５０１の内部に第１空気貯蔵部５５１、第２空気貯蔵部５５２及び第３空気貯蔵部５５３が設けられることを説明する。空気貯蔵部５５１、５５２、５５３は、蓄養槽本体５０１の内部において異なる深さに設けられてもよい。すなわち、魚の水面活動のための複数の空気ドーム５５１、５５２、５５３を蓄養槽本体５０１内の様々な位置に設けることにより、養殖魚の大きさや種類などによって独立して水面での空気吸入を行えるようにすることができる。
【００５８】
本発明によるサケ類の水中養殖装置は、前述した実施形態の構成や方法に限定されるものではなく、各実施形態の全部又は一部を選択的に組み合わせて構成することで様々に変形することができる。
【符号の説明】
【００５９】
１００、３００、４００、５００  サケ類の水中養殖装置
１０１、４０１、５０１  蓄養槽本体
１１０、４１０、５１０  上部リム
１２０、４２０、５２０  下部リム
１３０、４３０、５３０  錘
１４０、４４０、５４０  網
１４１  上面
１５０、２５０、３５０、４５０、５５１、５５２、５５３  空気貯蔵部
１６０、２６０、４６０  空気ドーム
１６１、２６１  シート部材
１６２  重畳部
１６５  枠部材
１６７  固定具
１６８  連結ロープ
１７０  中間フレーム
３９０  飼料及び空気排出ノズル
４７０  連結ロープ
４８０  長さ調整部
Ａ  空気
Ｆ  飼料
Ｇ  圧送用空気
【図１】
2017148035.tif 000003
【図２】
2017148035.tif 000004
【図３】
2017148035.tif 000005
【図４】
2017148035.tif 000006
【図５】
2017148035.tif 000007
【図６】
2017148035.tif 000008
【図７】
2017148035.tif 000009
【図８】
2017148035.tif 000010
【図９】
2017148035.tif 000011
【図１０】
2017148035.tif 000012